(57)【要約】【課題】容器着脱のための引き出し式の扉の最大開放時の引き出し量を増大させることなく、着脱可能な容器の奥行きを深くでき、収納量の増大できる冷蔵庫を提供する。【解決手段】冷蔵庫本体１に複数の収納室を有し、少なくとも一つの収納室に前面開口部を開閉する引き出し式の扉６と該収納室に収まる着脱可能な収納容器１１を有する冷蔵庫において、前記収納容器１１の側壁１１ａの上部に、容器着脱時における上方の他の構成部分との干渉を回避するための切り欠き１３を設ける。【選択図】図２
2009052809.tif 000002
【特許請求の範囲】
【請求項１】
冷蔵庫本体に複数の収納室を有し、少なくとも一つの収納室に前面開口部を開閉する引き出し式の扉と該収納室に収まる着脱可能な収納容器を有する冷蔵庫において、前記収納容器の側壁上部に、容器着脱時における上方の他の構成部分との干渉を回避するための切り欠きを設けてなることを特徴とする冷蔵庫。
【請求項２】
請求項１の記載の冷蔵庫において、少なくとも一つの収納室における引き出し式の扉の最大開放時の引出し量が該収納室に有する着脱可能な収納容器の奥行きより小さいことを特徴とする冷蔵庫。
【請求項３】
請求項１又は２に記載の冷蔵庫において、少なくとも一つの収納室における引き出し式の扉は、その内面に固定されかつ着脱可能な収納容器を支持する支持枠を有し、該支持枠が収納室の両側に配置されたダブルレール方式のスライドレールにより引き出し自在に支持されてなることを特徴とする冷蔵庫。
【発明の詳細な説明】
【技術分野】
【０００１】
本発明は、少なくとも一つの収納室に着脱可能な収納容器を備える冷蔵庫に関するものである。
【背景技術】
【０００２】
冷蔵庫本体に複数の収納室を有し、少なくとも一つの収納室に前面開口部を開閉する引き出し式扉と該収納室に収まる着脱可能な容器を有する冷蔵庫においては、前記容器の容量を大きくして、しかも着脱が容易に行えることが望まれる。
【０００３】
従来、ダブルレール方式のスライドレールによる引き出し式の扉を備える冷蔵庫において、前記引き出し式扉の最大開放時に、前記引き出し式扉の内面に固定した支持枠により支持した容器の着脱が可能なように、該容器の後端面が上方に位置する他の収納室の扉よりも前方に位置する構造にしたものが提案されている（例えば特許文献１及び２参照）。
【特許文献１】特開２００６−１７７６５９号公報
【特許文献２】特開２００６−１７７６６０号公報
【発明の開示】
【発明が解決しようとする課題】
【０００４】
前記従来の構造のものにおいては、引き出し式扉の最大開放時（全開時）に着脱可能な容器の後端面を上方に位置する他の収納室の扉よりも前方に位置させるものであるため、容量を大きくするために容器の奥行きを増やそうとすれば、全開時の引き出し量を増やす必要があり、冷蔵庫前方に大きなスペースを必要とし、冷蔵庫設置に必要とされる必要面積の増加に繋がる。そのため、扉の引き出し量等との関係で、着脱可能な容器の奥行き寸法が決まってしまい、奥行きの深い容積の大きい容器を採用できないものであった。
【０００５】
また、図４の鎖線のように、収納室５７の引き出し式扉５６の最大開放時に着脱可能な容器６１の後端面６１ｃが上方の収納室の扉５４よりも後方に位置するように、容器６１の奥行きが深いものの場合は、同図の実線のように容器６１を傾けて着脱するにしても、該容器６１の底部が引き出し式扉５６に当接し、あるいは該容器６１の上部が上方の収納室の扉５４に接触して引っかかり、着脱できないことになるので、例えば図４及び図５に示すように、容器底面の部分６３を底上げする必要があり、それだけ容器容積が小さくなっていた。
【０００６】
そこで、本発明は、容器着脱のための引き出し式の扉の最大開放時の引き出し量を増大させることなく、つまりは設置面積を増大させることなく、着脱可能な容器の奥行きを深くでき、収納量の増大でき、収納性を向上できる冷蔵庫を提供することを目的とする。
【課題を解決するための手段】
【０００７】
本発明は、冷蔵庫本体に複数の収納室を有し、少なくとも一つの収納室に前面開口部を開閉する引き出し式の扉と該収納室に収まる着脱可能な収納容器を有する冷蔵庫において、前記収納容器の側壁上部に、容器着脱時における上方の他の構成部分との干渉を回避するための切り欠きを設けてなることを特徴とする。
【発明の効果】
【０００８】
本発明の冷蔵庫によれば、容器着脱のための引き出し式の扉の最大開放時の引き出し量を増大させず、設置面積の増大化を抑えながら、着脱可能な収納容器の奥行きを増し、収納量の増大させることができ、冷蔵庫の収納性を向上できる。
【発明を実施するための最良の形態】
【０００９】
次に本発明の実施の形態を図面に示す実施例に基づいて説明する。
【００１０】
図１は冷蔵庫の引き出し式扉を開放した容器着脱時の斜視図、図２は同一部の拡大断面図、図３は本発明で使用する着脱可能な収納容器の側面図である。
【００１１】
冷蔵庫本体１は、内部構造の具体的説明は省略するが、外箱の内側に断熱材を介して設けた内箱により貯蔵空間が形成され、この内部の貯蔵空間が断熱仕切壁により複数の収納室に区分されている。
【００１２】
例えば、前記の複数の収納室のうち、冷蔵庫本体１の最上部に配置された収納室は冷蔵室であり、図１に示すように、前面開口部の両側に設けたヒンジにより観音開き式の左右の冷蔵室扉２、３が回動自在に枢支され、開口部が開閉可能に閉塞されている。また、前記冷蔵室の下方部に配置される各収納室は、製氷室、温度切替室、野菜室、冷凍室等であり、図１においては、前記冷蔵室の下部に断熱仕切壁を介して製氷室と温度切替室が設けられ、これら両室の下方に断熱仕切壁を介して野菜室が設けられ、さらに前記野菜室の下方に断熱仕切壁を介して冷凍室が設けられている。図１における符号４は製氷室の扉、５は温度切替室の扉、６は野菜室７の扉、８は冷凍室の扉を示している。
【００１３】
前記冷蔵室以外の各収納室は、冷蔵室に比べて収納容積が小さいこと、及びその設置高さ位置による使用者の使い勝手の点から引き出し扉方式とされている。
【００１４】
引き出し式の扉の構造について、前記の野菜室７を例にして説明する。図１及び図２に示すように、野菜室７の前面開口部を閉塞する引き出し式の扉６の内面（裏面）には、野菜室７を形成する内箱９の左右側面に沿って内奥側に延びる左右部を含む平面矩形をなす支持枠１０が固定されている。この支持枠１０の左右部間には、野菜室用の収納容器１１が、両側壁１１ａ，１１ａの外面側上部に有する張り出し形状の係合部１１ｂが支持枠１０に対し係合することにより着脱可能に支持されており、野菜室７の両側壁に前後方向に配置されたダブルレール方式のスライドレール１２によって、前記支持枠１０が前後方向に摺動可能に支持されることにより、前記引き出し式の扉６及び支持枠１０と共に前記収納容器１１が引き出し可能に設けられている。
【００１５】
前記のダブルレール方式のスライドレール１２は、野菜室７を形成する内箱の両側面に奥行き方向に固定された固定レール１２ａと、前記支持枠１０に取り付けられた可動レール１２ｂと、これら両レール１２ａ，１２ｂ間にボールベアリング（図示省略）を介して摺動可能に配置された中間レール１２ｃとから構成され、図２のように、前記中間レール１２ｃは前記固定レール１２ａ内を摺動可能に設けられ、また前記可動レール１２ｂは前記中間レール１２ｃ内を摺動可能に設けられている。すなわち、前記可動レール１２ｂは、前記固定レール１２ａに対し前記中間レール１２ｃを介して二段階で引き出されることで、従来のシングルレール方式の場合に比して、引き出し量を大きく取ることができることになる。
【００１６】
前記の支持枠１０に支持される収納容器１１は、前記野菜室７の引き出し式の扉６の最大開放時（全開時）に着脱できるように構成されるが、特に本発明の場合は、前記扉６の最大開放時に、図２において鎖線で示すように、前記収納容器１１の後端面１１ｃが上方に位置する収納室の扉等の他の構成部分、例えば製氷室の扉４の前面よりもやや後方に位置するものであっても、図２の実線のように、該収納容器１１を傾けることで容器着脱を許容できるようにするために、該収納容器１１の側壁１１ａの上部に、前記扉４との接触を避けるための干渉回避用の切り欠き１３が設けられている。なお、他の構成部分は、上方の扉のほか、扉に設けたハンドル、操作部、表示部や、収納室を区画する仕切壁、上方に位置する容器等が考えられる。
【００１７】
すなわち、引き出し式の扉６の最大開放時に、前記収納容器１１の後端面１１ｃが上方の収納室の扉４よりもやや後方に位置する場合、該収納容器１１を図１及び図２のように、斜めに傾けて着脱操作を行うが、この際、側壁１１ａの上部が上方の収納室の扉４や５等の他の構成部分に接触する部位の付近を凹設するように切り欠き１３を形成し、該切り欠き１３により上方の収納室の扉４等の他の構成部分との干渉を回避して着脱操作できるように構成される。
【００１８】
これにより、前記扉６の最大開放時において、容器全体を上方の収納室の扉４等の他の構成部分よりも前方に位置させるように引き出し量を大きくしなくても、容器の着脱操作が行える。従って、容器着脱のための引き出し式の扉６の最大開放時の引き出し量を小さくし、設置面積の拡大を抑えながら、着脱可能な収納容器の奥行きを深くすることができ、収納容量を増大できる。
【００１９】
例えば、図４のように、引き出し式扉５６の最大開放時に着脱可能な容器６１の後端面６１ｃが上方の収納室の扉５４よりも後方に位置するものの場合、同図の実線のように容器６１を傾けて取り出すにしても、容器６１が上方の収納室扉５４等の他の構成部分に接触し干渉することで取り出せなくなるので、図４及び図５のように、容器底面の部分６３を底上げする必要があり、それだけ容器６１の容積が小さくなるが、本発明の場合は、前記のように側壁１１ａの上部に干渉回避用の切り欠き１３を設けているので、収納容量を減少させることなく、また扉６の引き出し量を増大させることなく、問題なく取り出すことができる。換言すれば、引き出し式の扉６の引き出し量を大きくすることなく、奥行きの深い容器を採用することができ、冷蔵庫の収納性の向上を図ることができる。
【００２０】
また、ダブルレール方式のスライドレールを採用して引き出し式の扉６及び収納容器１１を引き出す場合においても、引き出し量を過度に大きくすることなく、着脱を可能にして、かつ収納量を増大できることになる。なお、内箱側のレールと扉側のレールよりなるシングルレールであれば、最大に引き出したときに、扉側のレールを斜め下前方に傾斜させる構造を採用することで、容器を容易に取り出すことができるが、ダブルレール方式のスライドレールでは、斜めに傾斜させる構造にすることができないため、前記のように切り欠き１３を設けることは特に有効である。
【００２１】
上記の説明においては、野菜室７としての一つの収納室における収納容器１１の引き出しと着脱について説明したが、他の引き出し式の扉４，５、８を備える各収納室についても、前記同様に、扉の内面に固定された支持枠に収納容器を支持し、容器着脱時における他の構成部分との干渉を回避するための切り欠きを収納容器の側壁上部に設けて前記同様に実施することができる。また、ダブルレールレール方式のスライドレールを採用した形態について説明したが、シングルレールや、さらに複数のレールを組み合わせたレールを用いても、同様の効果を奏する。
【図面の簡単な説明】
【００２２】
【図１】本発明の１実施形態を示す冷蔵庫の引き出し式扉を開放した容器着脱時の斜視図である。
【図２】同上の一部の拡大断面図である。
【図３】本発明で使用する収納容器の側面図である。
【図４】従来の冷蔵庫の引き出し式扉を開放した容器着脱時の斜視図である。
【図５】従来の冷蔵庫に使用する収納容器の側面図である。
【符号の説明】
【００２３】
１…冷蔵庫本体、２，３…冷蔵室扉、…Ｉ扉、４…製氷室の扉、５…温度切替室の扉、６…野菜室の扉、７…野菜室、８…冷凍室の扉、９…内箱、１０…支持枠、１１…支持枠、１１ａ…側壁、１１ｂ…係合部、１１ｃ…後端面、１２…スライドレール、１２ａ…固定レール、１２ｂ…可動レール、１２ｃ…中間レール、１３…切り欠き。
【図１】
2009052809.tif 000003
【図２】
2009052809.tif 000004
【図３】
2009052809.tif 000005
【図４】
2009052809.tif 000006
【図５】
2009052809.tif 000007